(57)【要約】【課題】撮影されている人物の方向にマイクの指向性を合わせる制御を行うと共に、受信音声の出力時の指向性を撮影されている人物に合わせる制御を自動的に行えるようにし、装置の操作性を向上させる。【解決手段】切替制御部３０８がカメラ１０６の撮影レンズの方向により操作者を撮影する場合であると判定すると、入力制御部３０５は操作者に指向性を合わせるようにマイク１０２、１１２からの音声信号を合成して通話相手に送信すると共に、出力制御部３０６は操作者に出力音声の指向性が合うように通話相手の受信音声をレシーバ１０１、１１１に割り振って出力する。操作者以外の人物を撮影する場合であると判定すると、この人物に指向性を合わせるようにマイク１０２、１１２からの音声信号を合成して通話相手に送信すると共に、この人物に出力音声の指向性が合うように通信相手の受信音声をレシーバ１０１、１１１に割り振って出力する。【選択図】  図２
2004173095.tif 000002
【特許請求の範囲】
【請求項１】
撮像手段により撮像された撮像動画像を音声と共に送受信する携帯テレビ電話装置であって、
前記撮像手段の撮像レンズ方向を変化させる回動手段と、
複数の集音手段と、
前記撮像レンズ方向の変化を検出する検出手段と、
前記検出された撮像レンズ方向に応じて、前記複数の集音手段の一部又は全部から入力される音声信号の割合を制御して合成する入力制御手段と、
前記合成された音声信号を送信する音声送信手段と、
を備えたことを特徴とする携帯テレビ電話装置。
【請求項２】
前記入力制御手段は、前記検出された撮像レンズ方向に応じて、前記複数の集音手段のいずれか一つから入力される音声信号を選択して前記音声送信手段に出力することを特徴とする請求項１に記載の携帯テレビ電話装置。
【請求項３】
撮像手段により撮像された撮像動画像を音声と共に送受信する携帯テレビ電話装置であって、
前記撮像手段の撮像レンズ方向を変化させる回動手段と、
複数の音声出力手段と、
前記撮像レンズ方向の変化を検出する検出手段と、
前記検出された撮像レンズ方向に応じて、受信音声信号を前記複数の音声出力手段に割り振って出力する出力制御手段と、
を備えたことを特徴とする携帯テレビ電話装置。
【請求項４】
前記出力制御手段は、前記検出された撮像レンズ方向に応じて、前記複数の音声出力手段のいずれか一つに前記受信音声信号を出力することを特徴とする請求項３に記載の携帯テレビ電話装置。
【請求項５】
撮像された撮像動画像を音声と共に送受信する携帯テレビ電話装置であって、
複数の撮像手段と、
前記複数の撮像手段のいずれか一つを選択して送信動画像を得る撮影状態選択手段と、
複数の集音手段と、
前記選択された撮像手段に応じて、前記複数の集音手段の一部又は全部から入力される音声信号の割合を制御して合成する入力制御手段と、
前記合成された音声信号を送信する音声送信手段と、
を備えたことを特徴とする携帯テレビ電話装置。
【請求項６】
前記入力制御手段は、前記選択された撮像手段に応じて、前記複数の集音手段のいずれか一つから入力される音声信号を選択して前記送信手段に出力することを特徴とする請求項５に記載の携帯テレビ電話装置。
【請求項７】
撮像された撮像動画像を音声と共に送受信する携帯テレビ電話装置であって、
複数の撮像手段と、
前記複数の撮像手段のいずれか一つを選択して送信動画像を得る撮影状態選択手段と、
複数の音声出力手段と、
前記選択された撮像手段に応じて、受信音声信号を前記複数の音声出力手段に割り振って出力する出力制御手段と、
を備えたことを特徴とする携帯テレビ電話装置。
【請求項８】
前記出力制御手段は、前記選択された撮像手段に応じて、前記複数の音声出力手段のいずれか一つに前記受信音声信号を出力することを特徴とする請求項７に記載の携帯テレビ電話装置。
【発明の詳細な説明】
【０００１】
【発明の属する技術分野】
本発明は、無線通信による通話機能とカメラ機能とを有し、テレビ電話による通話が可能な携帯テレビ電話装置に関する。
【０００２】
【従来の技術】
従来、携帯テレビ電話装置では、搭載されているカメラの撮影方向を自在に変えられるような構成が採られている（例えば特許文献１参照）。この構成によって、通話相手に送信できる動画像は操作者のみならず、カメラの撮影方向を向けた操作者以外の人物の動画像をも送ることができる。
【０００３】
【特許文献１】
特開平１０−７５２８７号公報  （第４−６頁、第１−２図）
【０００４】
【発明が解決しようとする課題】
しかしながら、従来の構成では、携帯テレビ電話装置を使用して操作者以外の人物の動画像を通話相手に送るためにカメラの撮影方向を変えて撮影している場合に、集音手段であるマイクロホン（マイク）は操作者の声を集音するために表示側に配置されおり、その指向性は操作者の方向にあるため、操作者以外の人物の声は集音されにくく、通話相手は受像した人物の声が聞き取りにくくなるというおそれがあった。
【０００５】
また、撮影されている人物の声をマイクで集音しようとすると、操作者は携帯テレビ電話装置を持ってマイクの指向性を撮影する人物に向ける動作が必要となり、使い勝手が悪いという問題点があった。さらに、通話相手の声を出力するためのレシーバ又はスピーカの指向性が操作者側にあるため、撮影されている人物は通話相手の声が聞き取りにくくなるというおそれがあった。
【０００６】
本発明は、上記課題を解決するためになされたもので、その目的は、撮影されている人物の方向にマイクの指向性を合わせる制御を行うと共に、受信音声の出力時の指向性を撮影されている人物の方向に合わせる制御を自動的に行うことができ、装置の操作性を向上させることができる携帯テレビ電話装置を提供することにある。
【０００７】
【課題を解決するための手段】
本発明の携帯テレビ電話装置は、撮像手段により撮像された撮像動画像を音声と共に送受信する携帯テレビ電話装置であって、前記撮像手段の撮像レンズ方向を変化させる回動手段と、複数の集音手段と、前記撮像レンズ方向の変化を検出する検出手段と、前記検出された撮像レンズ方向に応じて、前記複数の集音手段の一部又は全部から入力される音声信号の割合を制御して合成する入力制御手段と、前記合成された音声信号を送信する音声送信手段と、を備えたことを特徴とする。
【０００８】
上記構成によれば、撮影レンズの方向によって操作者を撮影する場合であると判定されると、操作者に指向性を合わせるように複数の集音手段（マイク）からの音声信号を合成して通話相手に送信し、操作者以外の人物を撮影する場合であると判定されると、この人物に指向性を合わせるように複数の集音手段からの音声信号を合成して通話相手に送信する。これにより、操作者以外の人物を撮影した場合も、この人物の動画像と共に明瞭な受話音声が通話相手に送信されるため、操作者と通話相手の会話は勿論、撮影された操作者以外の人物と通話相手の会話を良好に行うことができる。
【０００９】
また、前記入力制御手段は、前記検出された撮像レンズ方向に応じて、前記複数の集音手段のいずれか一つから入力される音声信号を選択して前記音声送信手段に出力することを特徴とする。
【００１０】
上記構成によれば、撮影レンズの方向によって操作者を撮影する場合であると判定されると、操作者に指向性が合っている集音手段からの音声信号を通話相手に送信し、操作者以外の人物を撮影する場合であると判定されると、この人物に指向性が合っている集音手段からの音声信号を通話相手に送信する。これにより、操作者以外の人物を撮影した場合も、この人物の動画像と共に明瞭な受話音声が通話相手に送信されるため、操作者と通話相手の会話は勿論、撮影された操作者以外の人物と通話相手の会話を良好に行うことができる。
【００１１】
本発明の携帯テレビ電話装置は、撮像手段により撮像された撮像動画像を音声と共に送受信する携帯テレビ電話装置であって、前記撮像手段の撮像レンズ方向を変化させる回動手段と、複数の音声出力手段と、前記撮像レンズ方向の変化を検出する検出手段と、前記検出された撮像レンズ方向に応じて、受信音声信号を前記複数の音声出力手段に割り振って出力する出力制御手段と、を備えたことを特徴とする。
【００１２】
上記構成によれば、撮影レンズの方向によって操作者を撮影する場合であると判定されると、操作者に出力音声の指向性が合うように通話相手の受信音声を複数の音声出力手段（レシーバ又はスピーカ）に割り振って出力し、操作者以外の人物を撮影する場合であると判定されると、この人物に出力音声の指向性が合うように通話相手の受信音声を複数の音声出力手段に割り振って出力する。これにより、操作者以外の人物を撮影した場合も、この人物は通話相手の通話音声を明瞭に聞き取れることになる。
【００１３】
また、前記出力制御手段は、前記検出された撮像レンズ方向に応じて、前記複数の音声出力手段のいずれか一つに前記受信音声信号を出力することを特徴とする。
【００１４】
上記構成によれば、撮影レンズの方向によって操作者を撮影する場合であると判定されると、操作者に出力音声の指向性が合っている音声出力手段に通話相手の受信音声を出力し、操作者以外の人物を撮影する場合であると判定されると、この人物に出力音声の指向性が合っている音声出力手段に通話相手の受信音声を出力する。これにより、操作者以外の人物を撮影した場合も、この人物は通話相手の音声を明瞭に聞き取れることになる。
【００１５】
本発明の携帯テレビ電話装置は、撮像された撮像動画像を音声と共に送受信する携帯テレビ電話装置であって、複数の撮像手段と、前記複数の撮像手段のいずれか一つを選択して送信動画像を得る撮影状態選択手段と、複数の集音手段と、前記選択された撮像手段に応じて、前記複数の集音手段の一部又は全部から入力される音声信号の割合を制御して合成する入力制御手段と、前記合成された音声信号を送信する音声送信手段と、を備えたことを特徴とする。
【００１６】
上記構成によれば、選択された撮影手段によって操作者を撮影する場合であると判定されると、操作者に指向性を合わせるように複数の集音手段からの音声信号を合成して通話相手に送信し、操作者以外の人物を撮影する場合であると判定されると、この人物に指向性を合わせるように複数の集音手段からの音声信号を合成して通話相手に送信する。これにより、操作者以外の人物を撮影した場合も、この人物の動画像と共に明瞭な受話音声が通話相手に送信されるため、操作者と通話相手の会話は勿論、撮影された操作者以外の人物と通話相手の会話を良好に行うことができる。
【００１７】
また、前記入力制御手段は、前記選択された撮像手段に応じて、前記複数の集音手段のいずれか一つから入力される音声信号を選択して前記送信手段に出力することを特徴とする。
【００１８】
上記構成によれば、選択された撮像手段によって操作者を撮影する場合であると判定されると、操作者に指向性が合っている集音手段からの音声信号を相手側に送信し、操作者以外の人物を撮影する場合であると判定されると、この人物に指向性が合っている集音手段からの音声信号を通話相手に送信する。これにより、操作者以外の人物を撮影した場合も、この人物の動画像と共に明瞭な受話音声が通話相手に送信されるため、操作者と通話相手の会話は勿論、撮影された操作者以外の人物と通話相手の会話を良好に行うことができる。
【００１９】
本発明の携帯テレビ電話装置は、撮像された撮像動画像を音声と共に送受信する携帯テレビ電話装置であって、複数の撮像手段と、前記複数の撮像手段のいずれか一つを選択して送信動画像を得る撮影状態選択手段と、複数の音声出力手段と、前記選択された撮像手段に応じて、受信音声信号を前記複数の音声出力手段に割り振って出力する出力制御手段と、を備えたことを特徴とする。
【００２０】
上記構成によれば、選択された撮像手段によって操作者を撮影する場合であると判定されると、操作者に出力音声の指向性が合うように通話相手の受信音声を複数の音声出力手段に割り振って出力し、操作者以外の人物を撮影する場合であると判定されると、この人物に出力音声の指向性が合うように通話相手の受信音声を複数の音声出力手段に割り振って出力する。これにより、操作者以外の人物を撮影した場合も、この人物は通話相手の音声を明瞭に聞き取れることになる。
【００２１】
また、前記出力制御手段は、前記選択された撮像手段に応じて、前記複数の音声出力手段のいずれか一つに前記受信音声信号を出力することを特徴とする。
【００２２】
上記構成によれば、選択された撮像手段によって操作者を撮影する場合であると判定されると、操作者に出力音声の指向性が合っている音声出力手段に通話相手の受信音声を出力し、操作者以外の人物を撮影する場合であると判定されると、この人物に出力音声の指向性が合っている音声出力手段に通話相手の受信音声を出力する。これにより、操作者以外の人物を撮影した場合も、この人物は通話相手の音声を明瞭に聞き取れることになる。
【００２３】
【発明の実施の形態】
以下、図面を参照して本発明の実施形態を説明する。
［第１実施形態］
図１は、本発明の第１実施形態に係る携帯テレビ電話装置の外観構成を示した斜視図であり、図１（ａ）は携帯テレビ電話装置の正面を、図１（ｂ）は背面を示している。
【００２４】
図１（ａ）、（ｂ）において、携帯テレビ電話装置１は主に、操作部１２１と表示部１２２と回転カメラ部１２３とを有して構成され、操作部１２１と表示部１２２はヒンジ部１０７により回動可能に結合されている。
【００２５】
表示部１２２は、操作者のための音響信号出力手段としてのレシーバ（又はスピーカ）１０１と表示装置１０４をその正面側に備え、撮影されている人物のための音声信号出力手段としてのレシーバ（又はスピーカ）１１１を裏面側に備え、また、その上部にはアンテナ１０５を備えている。
【００２６】
操作部１２１は、操作者の音声を集音するための集音手段としてマイク１０２とキーボード１０３をその正面側に備え、撮影されている人物の音声を集音するための集音手段としてマイク１１２を裏面側に備えている。
【００２７】
回転カメラ部１２３は、撮影手段としてのカメラ１０６を内蔵する円筒形の形状を有し、ヒンジ部１０７に接続されており、更に、カメラ１０６がヒンジ部１０７の軸を中心として携帯テレビ電話装置１の正面側及び裏面側に回転して、その方向を変えられる構造を有している。
【００２８】
この構造により、カメラ１０６の撮像レンズを裏面側に向けることで操作者以外の人物を撮影することが可能になっている。また、回転カメラ部１２３は、カメラ１０６が撮影している人物が操作者か、この操作者以外の人物かを検出するために、カメラ１０６の回転角度を検出するロータリーエンコーダ（図示せず）等の回転方向検出機構を内蔵している。
【００２９】
図２は本発明の第１実施形態に係る携帯テレビ電話装置の回路構成を示したブロック図である。
【００３０】
携帯テレビ電話装置１は、音声及び動画像を変調してアンテナ１０５から送信したり、アンテナ１０５から受信した音声や動画像を復調する無線通信制御部３０１と、キーボード１０３と音声制御部３０３と画像制御部３０４と無線通信制御部３０１を接続して音声及び動画像の送受信制御や装置全体の制御を行う制御部３０２とを有している。また、送信音声信号と受信音声信号の入出力制御を行う音声制御部３０３と、カメラ１０６から入力された動画像信号を表示装置１０４に表示すると共に制御部３０２に出力し或いは、受信動画像信号を表示装置１０４に表示する画像制御部３０４とを有している。また、マイク１０２とマイク１１２からの音声信号を音声制御部３０３へ入力する際のそれぞれの音声信号の入力割合を制御する入力制御部３０５と、音声制御部３０３からの受信音声信号のレシーバ１０１とレシーバ１１１への出力割合を制御する出力制御部３０６とを有している。
【００３１】
また、携帯テレビ電話装置１は、マイク１０２とマイク１１２が集音した音声信号の大きさを検出する音声レベル検出部３０７と、音声レベル検出部３０７の検出信号とカメラ方向検出部３０９の検出信号に基づいて入力制御部３０５及び出力制御部３０６に入力割合及び出力割合を切り替える制御情報を出力する切替制御部３０８と、回転カメラ部１２３に備えられてカメラ１０６の回転角度を検出し、その撮影方向を検出するカメラ方向検出部３０９とを有している。
【００３２】
なお、カメラ方向検出部３０９の検出信号は、画像制御部３０４にも送られ、操作者以外の人物を撮影する場合の相手撮りの撮影動画像が上下反転することを補正する処理の有無の制御にも用いられている。
【００３３】
次に、本実施形態の携帯テレビ電話装置１の動作について説明する。本実施形態の携帯テレビ電話装置は、搭載カメラの撮影方向に応じて、マイク等の集音装置の指向性及び通信相手の受信音声信号を出力する際のレシーバやスピーカ等の指向性を制御するものである。
【００３４】
画像制御部３０４に入力されるカメラ撮影動画像及び通話相手から送信される動画像は、制御部３０２及び無線通信制御部３０１経由で、アンテナ１０５により無線網へ送受信され、同時に表示装置１０４にて表示される。同様に、音声制御部３０３に入力制御部３０５を介して入力される送信音声信号及び音声制御部３０３から出力され、出力制御部３０６で制御される受信音声信号も、制御部３０２及び無線通信制御部３０１経由でアンテナ１０５により無線網へ送受信される。これら携帯テレビ電話装置１の通信にかかわる制御は、キーボード１０３を含めて従来の携帯テレビ電話装置のものと同じである。
【００３５】
ここで、入力制御部３０５は、マイク１０２、マイク１１２からの入力音声信号に重み付けをして音声制御部３０３に入力したり、或いはそれぞれの音声信号のいずれか一方を選択して音声制御部３０３に入力する。また、出力制御部３０６は、音声制御部３０３からの受信音声信号に重み付けをしてレシーバ１０１、レシーバ１１１に出力したり、或いは受信音声信号をレシーバ１０１、レシーバ１１１のいずれか一方に出力する。
【００３６】
次に、図３及び図４を参照して、本実施形態の動作において、カメラの撮影方向に応じて音声信号を切り替えるための制御手順について説明する。
【００３７】
以降の説明において、カメラ方向検出部３０９から切替制御部３０８に送られてくる検出信号は、カメラ１０６の撮影状態が相手撮りの場合、つまりカメラ１０６のレンズが裏面側を向いた時にＹｅｓに相当する信号（例えばハイレベル）を返し、それ以外の場合にはＮｏに相当する信号（例えばローレベル）を返すものとする。
【００３８】
図３はカメラ１０６の撮影方向に応じてマイク１０２及びマイク１１２から入力される音声信号の割合（重み付け）を制御する手順を示したフローチャートである。
【００３９】
まず、テレビ電話通話を開始後、切替制御部３０８はカメラ方向検出部３０９及び音声レベル検出部３０７からの検出信号によりカメラ１０６の状態（方向）を判定し（ステップＳ１）、検出信号がＹｅｓの場合は入力制御部３０５によりマイク１０２とマイク１１２の指向性を相手撮り用に制御する（ステップＳ２）。この相手撮り用に制御するとは、例えば相手撮り用のマイク１１２の音声信号を音声制御部３０３に入力するようにし、若しくは音声信号の加算合成時にマイク１１２からの信号の割合を増加させることである。
【００４０】
検出信号がＮｏの場合は、入力制御部３０５によりマイク１０２とマイク１１２の指向性を自分撮り用に制御する（ステップＳ３）。この自分撮り用に制御するとは、例えば自分撮り用のマイク１０２の音声信号を音声制御部３０３に入力するようし、若しくは音声信号の加算合成時にマイク１０２からの信号の割合を増加させることである。
【００４１】
ここで、上記の加算合成時の音声信号の合成割合は、操作者から携帯テレビ電話装置１までの距離が通常３０ｃｍ位で、撮影されている人物までの距離は通常の撮影状態から考えて１５０ｃｍ位となるため、１対５程度とする。逆に、自分撮りの場合には、相手撮り用の信号の割合を低下させる。この割合としては、撮影されている人物が映っていないため、０とする。
【００４２】
次に、切替制御部３０８はカメラ方向検出部３０９の検出信号によって、カメラ１０６の撮影状態が切り替わったかを判定する（ステップＳ４）。もし、撮影状態が切り替わった場合には、それが相手撮りの状態かを判定し（ステップＳ５）、そうである場合はマイクの指向性を相手撮り用に切り替え（ステップＳ６）、そうでない場合はマイクの指向性を自分撮り用に切り替える制御を行う（ステップＳ７）。
【００４３】
一方、ステップＳ４で撮影状態が変更されなかった場合、切替制御部３０８はカメラ方向検出部３０９からの検出信号によってカメラ１０６が相手撮り用の状態になっているかどうかを判定し（ステップＳ９）、そうである場合は、音声レベル検出部３０７からの検出信号より入力される相手撮り側のマイク１１２の音声レベルが大きいかどうかを判定し（ステップＳ１０）、大きい場合はステップＳ８に進み、大きくない場合はマイクの指向性を相手撮り用に制御する（ステップＳ１１）。
【００４４】
ステップＳ９で、カメラ１０６が相手撮り用の状態になっていないと判定された場合、音声レベル検出部３０７からの検出信号より入力される相手撮り側のマイク１１２の音声レベルが小さいかどうかを判定し（ステップＳ１２）、小さい場合はステップＳ８に進み、小さくない場合はマイクの指向性を自分撮り用に制御する（ステップＳ１３）。上記ステップＳ４からＳ７までの処理をステップＳ８でテレビ電話が終了されたと判定されるまで繰り返して行う。
【００４５】
図４は切替制御部３０８が出力制御部３０６によってレシーバ１０１、１１１に対する受信音声の出力割合を制御する手順を示したフローチャートである。この制御はマイクの指向性の状態が変わる度に、マイクの指向性に合わせて音声の出力先を制御することである。
【００４６】
まず、切替制御部３０８は、マイクの指向性の切り替えが発生したかどうかを判定し（ステップＳ２１）、発生しない場合はステップＳ２５に進む。マイクの指向性の切り替えが発生した場合はレシーバの指向性が相手撮り用の状態になっているかどうかを判定し（ステップＳ２２）、相手撮り用になっている場合は出力制御部３０６によりレシーバの指向性を相手撮り用の状態に制御する（ステップＳ２３）。
【００４７】
このレシーバの指向性を相手撮り用の状態に制御するとは、音声制御部３０３からの音声信号をレシーバ１１１に出力するように切り替えるか、若しくは、レシーバ１１１へ音声出力される信号の割合を増加させることである。この割合は、マイクの場合と同様に操作者から携帯テレビ電話装置１まで距離が、通常３０ｃｍ位、撮影されている人物までの距離が通常の撮影状態から考えて１５０ｃｍ位となるため、自分撮り用を１に対し５程度とする。
【００４８】
一方、ステップＳ２２で相手撮り用の状態になっていない場合は、出力制御部３０６によりレシーバの指向性を自分撮り用の状態に制御する（ステップＳ２４）。
【００４９】
このレシーバの指向性を自分撮り用の状態に制御するとは、音声制御部３０３からの音声信号をレシーバ１０１に出力するように切り替えるか、若しくは、レシーバ１０１へ音声出力される信号の割合を増加させることである。上記したステップＳ２１からステップＳ２４までの処理をステップＳ２５でテレビ電話が終了したと判定されるまで繰り返す。
【００５０】
なお、切替制御部３０８は、マイクの指向性の切り替えが発生したことにより、レシーバからの音声出力の指向性を制御しているが、カメラ方向検出部３０９の検出信号によりレシーバからの音声出力の指向性を制御するようにしても同様の動作を行うことができる。
【００５１】
本実施形態によれば、操作者がカメラ１０６の方向を変えて撮影する方向を変えた場合、切替制御部３０８はカメラ方向検出部３０９で検出されるカメラ１０６の撮影方向に合わせてマイクの指向性を制御すると共に、通話相手の受信音声を出力するレシーバの指向性を制御することにより、操作者と通話相手の会話は勿論、撮影された操作者以外の人物と通話相手の会話を良好に行うことができる。しかも、マイクの指向性の制御及びレシーバの指向性の制御はカメラ１０６の方向を変えると、操作者は何もしなくとも自動的に行われるため、携帯テレビ電話装置１の操作性を向上させることができる。
【００５２】
［第２実施形態］
図５は、本発明の第２実施形態に係る携帯テレビ電話装置の外観構成を示した斜視図で、図５（ａ）は携帯テレビ電話装置の正面を、図５（ｂ）は背面を示している。但し、図１に示した第１実施形態と同様の部分には同一符号を用いて説明し、適宜その説明を省略する。
【００５３】
図５（ａ）、（ｂ）において、携帯テレビ電話装置２は主に、操作部１２１と表示部１２２とを有して構成され、操作部１２１と表示部１２２はヒンジ部１０７により回動可能に結合され、第１実施形態とほぼ同様の構成を有している。ここで、第１実施形態と異なる点は、表示部１２２の表側に自分撮り用のカメラ２０１が、その裏側に相手撮り用のカメラ２１１が配置され、カメラが２台備えられているところにある。
【００５４】
図６は本発明の第２実施形態に係る携帯テレビ電話装置２の回路構成を示したブロック図である。本実施形態の回路は、２台のカメラ２０１、２１１の撮像動画像が画像制御部４０４に入力され、画像制御部４０４はカメラ２０１、２１１の切替情報を切替制御部３０８に出力する構成を有し、上記したように撮影手段として自分撮り用のカメラ２０１と、相手撮り用のカメラ２１１とを備えている。その他の構成は図２に示した第１実施形態と同様である。
【００５５】
次に、本実施形態の携帯テレビ電話装置２の動作について説明する。操作者はキーボード１０３を操作することによりカメラ２０１、２１１のいずれを使用するかを切り替え、撮影状態を自分撮り若しくは相手撮りに切り替える。
【００５６】
即ち、制御部３０２は、操作者がキーボード１０３を操作してカメラ２０１、２１１のいずれかを選択すると、この選択情報を画像制御部４０４に送くる。画像制御部４０４は入力される選択情報に基づいて、カメラ２０１、２１１のいずれか一方の動画像を入力処理するように切り替える。
【００５７】
例えば、操作者以外の人物を撮影する時にはカメラ２１１が選択されるため、画像制御部４０４はカメラ２１１からの撮像動画像を処理して表示装置１０４に表示すると共に、制御部３０２を介して無線通信部３０１に送る。無線通信部３０１はカメラ２１１の撮像動画像を変調してアンテナ１０５から通話相手に送信する。
【００５８】
これと同時に、画像制御部４０４は撮像カメラをカメラ２１１に切り替えたことを知らせる切替情報を切替制御部３０８に出力する。これにより、切替制御部３０８はカメラの撮影状態が相手撮り用の状態になっていると判定し、マイク１１２からの音声信号（或いはマイク１１２の音声信号の割合を大きくして）を入力制御部３０５より音声制御部３０３に入力する制御を行うと共に、音声制御部３０３からの受信音声信号を出力制御部３０６よりレシーバ１１１（或いはレシーバ１１１への出力割合を大きくして）に出力する。
【００５９】
一方、操作者を撮影する時にはカメラ２０１が選択されるが、同様の動作により、画像制御部４０４は撮像カメラをカメラ２０１に切り替えたことを知らせる切替情報を切替制御部３０８に出力する。これにより、切替制御部３０８はカメラの撮影状態が自分撮り用の状態になっていると判定し、マイク１０２からの音声信号（或いはマイク１０２の音声信号の割合を大きくして）を入力制御部３０５より音声制御部３０３に入力する制御を行うと共に、音声制御部３０３からの受信音声信号を出力制御部３０６よりレシーバ１０１（或いはレシーバ１０１への出力割合を大きくして）に出力する。
【００６０】
本実施形態によれば、自分撮り用カメラ２０１と相手撮り用カメラ２１１の２台備えることにより、操作者を撮る場合と操作者以外の人物を撮る場合の切り替えをキーボード１０３のキー操作で瞬時に行うことができ、装置の操作性を更に向上させることができる。また、この２台のカメラ２０１、２１１の切り替えによる撮影状態の変化に対応して、マイクの指向性及び受信音声を出力するレシーバの指向性を相手撮り用に或いは、自分撮り用に自動的に切り替えることができ、第１実施形態と同様の効果がある。
【００６１】
上述したように、本発明の第１の構成によれば、操作者を撮影する場合と操作者以外の人物を撮影する場合に応じて集音手段の指向性を変えることにより、撮影状態によらず常に明瞭な受話音声を通話相手に送信することができ、しかも、前記集音手段の指向性は撮影状態により自動的に変わるため、装置の操作性を向上させることができる。特に、撮影状態も操作者のキー操作で変更可能にすることにより、更に装置の操作性を向上させることができる。
【００６２】
また、本発明の第２の構成によれば、操作者を撮影する場合と操作者以外の人物を撮影する場合に応じて通話相手の受信音声を出力する音声出力手段の指向性を変えることにより、撮影状態によらず常に明瞭な通話相手の受信音声を被撮影者に聞かせることができ、しかも、前記音声出力手段の指向性は撮影状態により自動的に変わるため、装置の操作性を向上させることができる。特に、撮影状態も操作者のキー操作で変更可能にすることにより、更に装置の操作性を向上させることができる。
【００６３】
なお、本発明は上記実施形態に限定されることなく、その要旨を逸脱しない範囲において、具体的な構成、機能、作用、効果において、他の種々の形態によっても実施することができる。
【００６４】
【発明の効果】
以上説明したように本発明によれば、撮影されている人物の方向にマイクの指向性を合わせる制御を行うと共に、受信音声の出力時の指向性を撮影されている人物の方向に合わせる制御を自動的に行うことができ、装置の操作性を向上させることが可能な携帯テレビ電話装置を提供できる。
【図面の簡単な説明】
【図１】本発明の第１実施形態に係る携帯テレビ電話装置の外観構成を示した斜視図
【図２】本発明の第１実施形態に係る携帯テレビ電話装置の回路構成を示したブロック図
【図３】第１実施形態の携帯テレビ電話装置におけるカメラの撮影方向に応じて音声信号の入出力を切り替える制御手順を示したフローチャート
【図４】第１実施形態の携帯テレビ電話装置における切替制御部が出力制御部を介して音声出力の出力先を制御する手順を示したフローチャート
【図５】本発明の第２実施形態に係る携帯テレビ電話装置の外観構成を示した斜視図
【図６】本発明の第２実施形態に係る携帯テレビ電話装置の回路構成を示したブロック図
【符号の説明】
１、２  携帯テレビ電話装置
１０１、１１１  レシーバ
１０２、１１２  マイク
１０３  キーボード
１０４  表示装置
１０５  アンテナ
１０６、２０１、２１１  カメラ
１０７  ヒンジ部
１２１  操作部
１２２  表示部
１２３  回転カメラ部
３０１  無線通信制御部
３０２  制御部
３０３  音声制御部
３０４、４０４  画像制御部
３０５  入力制御部
３０６  出力制御部
３０７  音声レベル検出部
３０８  切替制御部
３０９  カメラ方向検出部
【図１】
2004173095.tif 000003
【図２】
2004173095.tif 000004
【図３】
2004173095.tif 000005
【図４】
2004173095.tif 000006
【図５】
2004173095.tif 000007
【図６】
2004173095.tif 000008